(57)【特許請求の範囲】
【請求項１】
コンパクト本体と、当該コンパクトに開閉自在に設けられる蓋体と、当該蓋体或いはコンパクト本体の収納部側に、該蓋体の閉口状態で上記コンパクト本体の収納部を覆ってその内部を密閉する弾性体からなるシール部を設けた気密コンパクトにおいて、蓋体が、内蓋と外蓋から構成され、該内蓋に空気孔を設け、該空気孔の外周に弁機構を設け、該外蓋に溝部と摘まみ部、該内蓋に溝受け部を設けたことを特徴とする気密コンパクト。
【請求項２】
請求項１記載の気密コンパクトからなる化粧料リフィルケース。
【請求項３】
請求項２記載の化粧料リフィルケースをコンパクトの収納部に収納したコンパクト。
【発明の詳細な説明】
【技術分野】
【０００１】
本発明はコンパクト、さらに具体的には揮発性成分を含んだファンデーション、おしろい、アイシャドウ等の化粧料を収納するための気密コンパクトに関する。
【背景技術】
【０００２】
近年、ファンデーション、おしろい等のベースメイク、アイシャドウ、チーク等のポイントメイクにおいては、使用時において、汗や水などで容易に落ちないこと（いわゆる持続性）が求められるようになった。そこで、これら化粧料の持続性を向上させる為に、化粧料に揮発性成分を配合することが試みられている。このような揮発性成分を配合した化粧料を通常のコンパクトに収納すると、経時的に揮発性成分が揮発してしまい、化粧料の品質を損ねていた。  
そこで、揮発性成分を含有する化粧料をコンパクトに収納する際には、通常のコンパクトよりも気密性を高める試みがなされてきた。
【０００３】
最も一般的には、コンパクト本体の口部若しくは蓋体内面にゴム等のシール部を設け、コンパクト本体と蓋体の嵌合時にシール部を密着させて気密性を得るようにしている（例えば、特開９−５６４５４号公報）。しかしながら、未だ十分な気密が保たれていないのが現状である。一方、使用性について言うならば、気密性を高めたが故に、コンパクトが容易に開口しづらい場合があるという問題点が生じていた。
【０００４】
他方、気密性を高める技術としては、食品の鮮度を向上させる為に、蓋体を押すことで容器内の空気を押し出し、弁等の構造を用いて容易に空気が逆流しないようにする食品保存容器等がある（例えば、特開平７−２７７３７４号公報）。このような容器では、蓋体の一部に、蓋を開口する為の機構（当該公報でいう回動体）を設ける必要があり、そのままコンパクトに応用する場合には、美観を損ねる可能性があった。
【先行技術文献】
【特許文献】
【０００５】
【特許文献１】特開９−５６４５４号公報
【特許文献２】特開平７−２７７３７４号公報
【発明の概要】
【発明が解決しようとする課題】
【０００６】
本願発明は上記の背景技術に鑑みてなされたものであって、十分な気密性を有しながら、使用時においては、簡易にコンパクトを開口出来る気密コンパクトを提供することを目的とする。
【課題を解決するための手段】
【０００７】
本発明の気密コンパクトは、化粧料を収納するコンパクト本体と蓋体とを蝶番部等で接合するコンパクト容器において、コンパクト本体の口部若しくは蓋体内部にゴム、シリコンゴム等の弾性体からなるシール部を設け、二重構造にした蓋体に空気孔を設け、その周囲に弁機構を設けることで、上記課題を解消した。
【発明の効果】
【０００８】
本発明によると、十分な気密状態と優れた使用性を両立させ、更には審美性に優れた気密性コンパクトを提供することが可能になる。また、本発明の実施品をそのまま気密コンパクトとして使用することは勿論のこと、大きさを調節することにより、コンパクトの収納部にはめ込む形で使用することも可能になる。
【図面の簡単な説明】
【０００９】
【図１】実施例１における蓋体側から見た平面図である。
【図２】実施例１におけるＡ−Ａ断面図である。
【図３】実施例１における使用方法を示した断面図である。
【図４】実施例２における蓋体側から見た平面図である。
【図５】実施例３における斜視図である。
【図６】弁機構の拡大斜視図である。
【発明を実施するための形態】
【００１０】
以下、本発明に係る気密コンパクトを実施する為の最良の形態に関し、図面を参照して詳細に説明するが、本発明が以下の実施例に限定されるものでないことは、言うまでもない。
【実施例１】
【００１１】
図１は、本願発明の気密コンパクト１を閉じた状態で蓋体側から見た平面図である。実施例１においては、コンパクト１の蓋体内部中央部よりやや摘み部１０寄りに弁機構５が設けられている（点線円部分）。尚、点線円は、弁機構５の位置を目安として示しているだけであり、外観に現れるわけではない。言い換えれば、通常の使用シーンにおいては、弁機構５は、外観に現れることはなく、美観が保たれている。
【００１２】
図２は、実施例１のコンパクト１におけるＡ−Ａ断面図である。外蓋３と内蓋４からなる蓋体３０とコンパクト本体２とは結合部４０で、ヒンジ構造で結合している。コンパクト１には、蓋体３０の内周部にシリコンゴム等でシール部７を設けているので、気密時に空気が漏れることを防止出来る。本シール部７を設けること自体は、公知の技術である。図２では、蓋体３０の内周部にシール部７を設けているが、コンパクト本体２の内周部に設けることも可能である（図示せず）。
ここで言う、蓋体内周部とは、蓋体３０の内側面の外周より内側を指す。収納部５０をどのように設けるかにもよるが、少なくとも当該収納部５０を囲むようにして設ける必要がある。
蓋体３０は、一体の蓋ではあるが、外蓋３と内蓋４の２層構造になっている。内蓋４には空気孔６があり、当該空気孔６を囲むようにして弁機構５が設けられている。外蓋３には溝部８、内蓋４には溝受け部９が設けられている。外蓋３には、更に摘まみ部１０が設けられている。実施例１のコンパクト１においては、本摘まみ部１０によってコンパクト１を開閉する為、コンパクト１に通常設けられているフックピースや、開口フックは存在しない。
【００１３】
図３は、実施例１のコンパクト１の使用方法を示したＡ−Ａ断面図である。使用者は、外蓋３に設けられた摘まみ部１０を持って、通常通り閉めた後（白抜き矢印Ｘ）、コンパクト１の外蓋３を指の腹等で押す（白抜き矢印Ｙ）。この行為により、コンパクト本体２の収納部５０上部の空間に存在する空気が押し出され、内蓋４に設けられた空気孔６及び弁機構５を通って、コンパクト１外部に排出される。本コンパクト１の外蓋３には、特段空気孔は設ける必要はない。なぜなら、外蓋３開口部６０の樹脂間の隙間から容易に空気を排出可能であるからである。
もっとも、空気の排出のみに関して言えば、収納部５０上部に存在する空気は、内蓋４に設けられた空気孔６からだけではなく、蓋体３０内周部に設けられたシール部７より排出されていく場合もある。
使用者は、コンパクトの外蓋３を押した後は、指等を離し、鞄や化粧台などに保管する。
使用者が指等を離すと、弁機構５や蓋体内周のシール部７は、シリコンゴム等の弾性体で作られているので、弾性体の復元力により、容易に気密状態が設定される。また、弁機構５においても、弁部５ａと、吸着受け部５ｂが、シリコンゴム等の弾性体で作られているので、シール部７同様に弾性体の復元力により、用意に気密状態が設定される。
【００１４】
コンパクト１を使用する際には、使用者は、外蓋３に設けられた摘まみ部１０に、例えば指の腹をあて、摘まみ部１０を外蓋３の中心方向に倒すようにしながら上方に持ち上げる。
すると、外蓋３に設けられた溝部８が、内蓋４に設けられた溝受け部９にスライドし、Ｖ字状になる。このことにより、弁機構５の弾性体同士の密着状態が解除される。密着状態が解除されると、内蓋４に設けられた空気孔６から空気がコンパクト本体２の収納部５０上部の空間に空気が流れ込むと共に、蓋体内周に設けられたシール部７の弾性体の密着状態も解除されるので、コンパクト１が開口する。
言い換えると、使用者が摘まみ部１０の操作をするだけで、コンパクト１の気密状態の解除と、コンパクト１の開口がほぼ同時に行うことが出来る。
なお、図３においては、使い方と構造との関係を分かり易く説明する為、外蓋３開口部６０が大きく開いた状態を示しているが、コンパクト１の気密状態を解除する為には、弁機構５の弁部５ａと吸着受け部５ｂの弾性体同士の密着状態が緩めば十分であるので、図３の状態にまで、外蓋３をＶ字にしなくても、コンパクト１の気密状態を解除することは可能である。
【実施例２】
【００１５】
実施例２は、外蓋３の溝部８と、内蓋４の溝受け部９を蓋体３０の端部まで設けた場合において、蓋体側から見た平面図である。実施例１と同様の方法で使用することが出来る。実施例２の方が、外蓋３の外観に現れる構造が少ないので、より審美性に優れる。尚、点線円は、弁機構５の位置を目安として示しているだけであり、外観に現れるわけではない。
【実施例３】
【００１６】
実施例３は、実施例１のコンパクト１を従来のコンパクトに設置した状態を示している。イメージとして捉えるならば、実施例１、２のコンパクト１を、通常のコンパクト２０のリフィル容器の変わりに使用することが出来、そのリフィル容器をそのままコンパクト２０に使用した場合を示している。
図５では、実施例１を使用した場合を示しているが、実施例２を設置することも可能である。
実施例３では、実施例１、２のコンパクト１をそのまま、コンパクト収納部５０に収納して使用する。この場合、外側のコンパクト２０は、通常のコンパクトで良く、気密コンパクトである必要はない。
勿論、従来のコンパクト２０に安定的に収納する為に、公知の方法で、適宜接合部を設けることも可能である（図示せず）。
【００１７】
ここで、弁機構５に関し、詳述する。
弁機構５は、内蓋４に設けられた空気孔６の外周を囲むようにして設けられる。当該弁機構５は、弁部５ａと吸着受け部５ｂからなり、ゴム、シリコン等の弾性体で作られている。弁部５ａは、シルクハットから帽子天頂部を切り離したような形をしている（図６）。吸着受け部５ｂは、平板状をしている。弁部５ａ上部を覆う大きさであれば良い。図６において、吸着受け部５ｂの外周に縁取りのような凸部を示しているが、この凸部は、必須ではない。単に平板であっても差し支えない。
弁機構５そのもの大きさは、コンパクト１の大きさ、収納部５０上部の空間の大きさ、空気孔６の大きさにより適宜調整される。弁部５ａ筒状部の内径の直径は、０．２ｃｍ以上である事が好ましい。
図６では、シルクハット状の弁機構を示したが、この筒状部分が、楕円、長方形などの形であっても差し支えない。もっとも、気密状態を保持する為には、円柱、楕円柱であることが好ましい。
弁機構５を設ける位置は、必ずしも図１のようにコンパクト１の中央部付近である必要はない。効果的に空気を排出出来る位置にあれば良く、コンパクト１の収納部５０の位置や大きさによって適宜調整される。
【００１８】
上記図面においては、図面中に鏡を記載していないが、内蓋４の収納部５０側に鏡を設けることも可能性ある。通常、蓋（本願では内蓋４）の収納部５０側に鏡を収納する凹部が設けられ、その凹部より小さく鏡を作成し接着する。接着部分を適宜調節することにより、空気が流れるスペースを確保出来るので、気密状態を設定する場合、解除する場合においても支障はない。蓋体３０の内周部にシール部７を設けていれば、気密状態に影響しない。
【００１９】
実施例１〜３における本願コンパクト１においては、コンパクト本体２と蓋体３０とは、結合部４０でヒンジ構造で結合している場合の図面のみを開示しているが、通常のコンパクト同様に、蝶番部を設けても支障はない。もっとも、ヒンジ構造にした方が、一体成形が可能であるので、コスト削減の面で好ましい。
【産業上の利用可能性】
【００２０】
本発明によると、揮発性成分を含有した化粧料を収納する気密コンパクトとして使用することが出来るだけでなく、通常のコンパクトにリフィルケースとしてそのまま設置することも出来る。
【符号の説明】
【００２１】
１．          
コンパクト
２．          
コンパクト本体  
３．          
外蓋
４．          
内蓋
５．          
弁機構
５ａ．弁部
５ｂ．吸着受け部
６．          
空気孔
７．          
シール部
８．          
溝部
９．          
溝受け部
１０．             
摘まみ部
２０．従来のコンパクト
２１．パフ
２２．鏡
３０．蓋体
４０．結合部
５０．収納部
６０．開口部
【図１】
0005753417.tif 000002
【図３】
0005753417.tif 000003
【図４】
0005753417.tif 000004
【図５】
0005753417.tif 000005
【図６】
0005753417.tif 000006
【図２】
0005753417.tif 000007